(57)【要約】      （修正有）【課題】左右それぞれに用いられる装置に共用可能なハウジングを有する窓ガラス昇降装置を提供する。【解決手段】窓ガラス昇降装置は、ドラムが収容される収容部を有する内側空間部６１と、ケーブル導出入部６２ａ、６２ｂと、開口部６３ａ、６３ｂとを有し、ハウジング６は、開口部６３ａ、６３ｂの径方向外側に突部６４１、６４２を有し、ケーブル導出入部６２ａ、６２ｂは線対称となるような配置として設けられ、突部６４１、６４２は、内側面６４ａと外側面６４ｂとを有し、内側面６４ａは、突部６４１、６４２が下側の場合に内側空間部６１から開口部６３ａ、６３ｂへと移動した水をハウジング外へと案内する排水案内部Ｇを有し、外側面６４ｂは、突部６４１、６４２が上側の場合に突部６４１、６４２外側に付着した水分を下方へと移動させる水捌部Ｄを有している。【選択図】図２
2020023783.tif 000002
【特許請求の範囲】
【請求項１】
窓ガラスを移動させる移動部材と、
前記移動部材に接続するケーブルと、
前記ケーブルの巻取り及び送り出しにより前記移動部材を移動させるドラムと、
前記ドラムを回転させる駆動部と、
前記ドラムが収容される収容部を有する内側空間部と、前記ケーブルが導入導出されるケーブル導出入部と、前記内側空間部と外部とを連通させる開口部とを有するハウジングとを備えた窓ガラス昇降装置であって、
前記開口部は、ドラム中心軸の位置に対して径方向外側に設けられ、
前記ハウジングは、ドラム中心軸の位置に対して前記開口部の径方向外側に、中心軸方向の前記ドラムと反対側に延びる突部を有し、
前記ケーブル導出入部は、第一ケーブル導出入部と、第二ケーブル導出入部とを有し、
前記第一ケーブル導出入部と前記第二ケーブル導出入部とは、ドラム中心軸を中心として前記ハウジングを１８０°回転させた場合のそれぞれの位置が、当該１８０°回転させる前の状態においての、それぞれ他方のケーブル導出入部の位置に対して線対称となるような配置として前記ハウジングに設けられ、
前記開口部は、前記第一ケーブル導出入部が上側の時にドラム中心軸の位置に対して上側となり、前記第一ケーブル導出入部が下側の時にはドラム中心軸の位置に対して下側となる第一開口部と、前記第二ケーブル導出入部が上側の時にドラム中心軸の位置に対して上側となり、前記第二ケーブル導出入部が下側の時にはドラム中心軸の位置に対して下側となる第二開口部とを有し、
前記突部は、前記第一開口部が上側のときに前記第一開口部の上側となり、前記第一開口部が下側のときに前記第一開口部の下側となる第一突部と、前記第二開口部が上側の時に前記第二開口部の上側となり、前記第二開口部が下側のときに前記第二開口部の下側となる第二突部を有し、
前記突部は、内側面と外側面とを有し、
前記内側面は、前記突部が下側の場合にハウジングの内側空間部から前記開口部へと移動した水をハウジング外へと案内する排水案内部を有し、
前記外側面は、前記突部が上側の場合に突部外側に付着した水分を下方へと移動させる水捌部を有する
窓ガラス昇降装置。
【請求項２】
前記突部は、ドラム中心軸に対して外側に凸となるように設けられた、請求項１に記載の窓ガラス昇降装置。
【請求項３】
前記ハウジングが取り付けられる基体を有し、
前記ハウジングは、前記ドラムを前記内側空間部に挿入可能な挿入口部を有し、
前記基体は、前記ドラムが前記ハウジングから離脱不能となるように前記挿入口部を覆う被覆部と、前記ハウジングの前記内側空間部から水を排出可能な孔を前記ハウジングと形成する排出部とを有する
請求項１または請求項２に記載の窓ガラス昇降装置。
【発明の詳細な説明】
【技術分野】
【０００１】
本発明は、窓ガラス昇降装置に関する。
【背景技術】
【０００２】
ケーブルによって窓ガラスを昇降させる窓ガラス昇降装置（特許文献１参照）は、車両の移動方向に対して、レールや駆動部などが所定の位置や方向となるように配置されるために、車両の移動方向に対して左右対称となるように配置される。そのため、ドラムハウジング等のケーブルの配索に関する部材には、位置や方向に応じて右用と左用との専用部品として用いられるものが多い。
【先行技術文献】
【特許文献】
【０００３】
【特許文献１】特開２００６−０７６４５７号公報
【発明の概要】
【発明が解決しようとする課題】
【０００４】
ケーブルによって窓ガラス昇降装置に用いられる部品には、ケーブルの巻取りと繰り出しとをするドラムを収容するドラムハウジングが用いられる。ドラムハウジングにはドラムを収容するドラム収容部が設けられ、このドラム収容部にはケーブルから伝わった水分や上方から侵入した水分を排出する排出口が設けられている。水分を排出する排出口は、ドラム収容部内に溜まった水分を排出するために、ドラム収容部の下方に設けられているので、ドラムハウジングを左右反転させた場合には、位置が上方に移動される。ドラムハウジングの上側に開口がある場合には、その上側の開口を介して水分がドラム収容部内に侵入し、ドラム収容部に水分が蓄積されてしまう。
【０００５】
つまり、水分の排出口が下側に設けられたハウジングをそのまま左右共用することは難しい。
【０００６】
本発明は、左右それぞれに用いられる装置に共用可能なハウジングを有する窓ガラス昇降装置を提供することを目的とする。
【課題を解決するための手段】
【０００７】
本発明の窓ガラス昇降装置は、窓ガラスを移動させる移動部材と、前記移動部材に接続するケーブルと、前記ケーブルの巻取り及び送り出しにより前記移動部材を移動させるドラムと、前記ドラムを回転させる駆動部と、前記ドラムが収容される収容部を有する内側空間部と、前記ケーブルが導入導出されるケーブル導出入部と、前記内側空間部と外部とを連通させる開口部とを有するハウジングとを備えた窓ガラス昇降装置であって、前記開口部は、ドラム中心軸の位置に対して径方向外側に設けられ、前記ハウジングは、ドラム中心軸の位置に対して前記開口部の径方向外側に、中心軸方向の前記ドラムと反対側に延びる突部を有し、前記ケーブル導出入部は、第一ケーブル導出入部と、第二ケーブル導出入部とを有し、前記第一ケーブル導出入部と前記第二ケーブル導出入部とは、ドラム中心軸を中心として前記ハウジングを１８０°回転させた場合のそれぞれの位置が、当該１８０°回転させる前の状態においての、それぞれ他方のケーブル導出入部の位置に対して線対称となるような配置として前記ハウジングに設けられ、前記開口部は、前記第一ケーブル導出入部が上側の時にドラム中心軸の位置に対して上側となり、前記第一ケーブル導出入部が下側の時にはドラム中心軸の位置に対して下側となる第一開口部と、前記第二ケーブル導出入部が上側の時にドラム中心軸の位置に対して上側となり、前記第二ケーブル導出入部が下側の時にはドラム中心軸の位置に対して下側となる第二開口部とを有し、前記突部は、前記第一開口部が上側のときに前記第一開口部の上側となり、前記第一開口部が下側のときに前記第一開口部の下側となる第一突部と、前記第二開口部が上側の時に前記第二開口部の上側となり、前記第二開口部が下側のときに前記第二開口部の下側となる第二突部を有し、前記突部は、内側面と外側面とを有し、前記内側面は、前記突部が下側の場合にハウジングの内側空間部から開口部へと移動した水をハウジング外へと案内する排水案内部を有し、前記外側面は、前記突部が上側の場合に突部外側に付着した水分を下方へと移動させる水捌部を有している。
【発明の効果】
【０００８】
本発明によれば、左右それぞれに用いられる窓ガラス昇降装置のハウジングを、左右で共用可能とすることができる。
【図面の簡単な説明】
【０００９】
【図１】本発明の一実施形態の窓ガラス昇降装置を示す概略図である。
【図２】図１の窓ガラス昇降装置のハウジングを示す概略正面図である。
【図３】図１の窓ガラス昇降装置の、ハウジングと基体とを分離した分解斜視図である。
【図４】図１の窓ガラス昇降装置を、ハウジングの挿入口部側から見た分解斜視図である。
【図５】図２のＢ−Ｂ線で切断した模式的な断面図である。
【図６】図１におけるＡ−Ａ線断面図である。
【発明を実施するための形態】
【００１０】
以下、図面を参照し、本発明の一実施形態の窓ガラス昇降装置を説明する。なお、以下に示す実施形態はあくまで一例であり、本発明の窓ガラス昇降装置は、以下の実施形態に限定されるものではない。
【００１１】
図１に示されるように、窓ガラス昇降装置１は、窓ガラスＷを移動させる移動部材２と、移動部材２に接続するケーブル３と、ケーブル３の巻取り及び送り出しにより移動部材２を移動させるドラム４と、ドラム４を回転させる駆動部５と、ドラム４を収容するハウジング６とを備えている。本実施形態では、窓ガラス昇降装置１はさらに、移動部材２の移動方向に沿って延び、移動部材２を案内するガイド部７と、ガイド部７の端部に設けられ、ケーブル３を方向転換する方向転換部材８とを備えている。
【００１２】
窓ガラス昇降装置１は、所定の取付対象に取り付けられ、窓ガラスＷを昇降させる。本実施形態の窓ガラス昇降装置１は、例えば、車体のドアパネル等の取付対象に取り付けられる。窓ガラス昇降装置１は、車体以外の他の取付対象に取り付けられてもよい。なお、本明細書において、窓ガラス昇降装置１の各部材に関して、窓ガラス昇降装置１が取付対象に取り付けられたときの、窓ガラスＷが上昇する側を「上側」と呼び、窓ガラスＷが下降する側を「下側」と呼ぶ。
【００１３】
駆動部５は、ドラム４を回転させる駆動力を発生させる。駆動部５は、例えば電動モータや手動操作ハンドルなどの、駆動力発生装置を有している。駆動部５は、本実施形態では、図１に示されるように、電動モータ５１と、ドラム４に接続され、電動モータ５１の駆動力によりドラム４を回転させる軸部５２（図６参照）とを備えている。なお、駆動部５は、ドラム４を回転させる駆動力を発生させることが可能であれば、図示する形状や構造に限定されるものではない。本実施形態では、駆動部５はガイドレールとして示されたガイド部７の長手方向の中央近傍に設けられているが、駆動部５が設けられる位置は限定されない。例えば、駆動部５は、ガイド部７の下端などに設けられていてもよい。
【００１４】
ドラム４は、駆動部５によってドラム４の中心軸（以下、ドラム中心軸という）Ｘ周りに正逆回転し、ドラム４に接続されたケーブル３の巻取りと送り出しにより移動部材２を移動させる。本実施形態では、図４、図６に示されるように、ドラム４は略筒状の部材であり、軸部５２（図６参照）を挿入可能であり、軸部５２と係合する軸孔４１を有し、駆動部５の駆動力により軸部５２が回転することにより、ドラム４が回転する。
【００１５】
ケーブル３は、ドラム４の回転に伴って、ドラム４に巻取られ、ドラム４から送り出される。ケーブル３は、ドラム４及び移動部材２に接続されている。ドラム４の回転によってケーブル３が操作されることによって、ケーブル３に接続された移動部材２が昇降する。本実施形態では、ケーブル３は、図１に示されるように、第一ケーブル３１と第二ケーブル３２とを有している。第一ケーブル３１及び第二ケーブル３２のそれぞれの一方の端部（図示せず）は、ドラム４に接続されている。第一ケーブル３１及び第二ケーブル３２の他方の端部３１Ｅ、３２Ｅは、それぞれ移動部材２に接続されている。本実施形態では、第一ケーブル３１及び第二ケーブル３２は、ドラム４から方向転換部材８に向かって延び、方向転換部材８によって方向転換されて移動部材２に向かって延びている。本実施形態では、第一ケーブル３１は上昇用ケーブルであり、第一ケーブル３１がドラム４に巻き取られると、移動部材２が第一ケーブル３１により上側に引っ張られて上昇方向に移動する。この移動部材２の上昇方向の移動により、移動部材２に取り付けられた窓ガラスＷが上昇する。第二ケーブル３２は下降用ケーブルであり、第二ケーブル３２がドラム４に巻き取られると、移動部材２が第二ケーブル３２により下側に引っ張られて下降方向に移動する。この移動部材２の下降方向の移動により、移動部材２に取り付けられた窓ガラスＷが下降する。なお、ケーブル３は、公知のコントロールケーブルを用いることができる。例えば、第一ケーブル３１及び第二ケーブル３２は、コントロールケーブルのインナーケーブルとすることができる。図１に示されるように、第一ケーブル３１及び第二ケーブル３２は、配索経路において、部分的にアウターケーシング３３に挿通されていてもよい。また、ケーブル３は、本実施形態では２本のケーブルにより構成されているが、１本のケーブルにより構成されていてもよい。
【００１６】
移動部材２はケーブル３により操作されて昇降し、移動部材２に接続された窓ガラスＷを昇降させる。移動部材２には、図１に示されるように、窓ガラスＷが直接または間接的に取り付けられる。本実施形態では、移動部材２は、ガイド部７の長手方向に沿って移動できるようにガイド部７に取り付けられている。移動部材２は、図１に示されるように、ケーブル３の端部３１Ｅが接続される第１接続部２１ａと、ケーブル３の端部３２Ｅが接続される第２接続部２１ｂと、窓ガラスＷの下端が取付けられる窓ガラス取付部２２とを有している。なお、移動部材２の形状や構造は、図示するものに限定されない。また、本実施形態では、移動部材２はガイド部７に案内されているが、移動部材２はガイド部７に案内されることなく移動してもよい。
【００１７】
ハウジング６は、ドラム４を回転可能に収容する。ハウジング６は、図示しないドアパネル等の取付対象に直接または間接的に取り付けられる。本実施形態では、窓ガラス昇降装置１は、図１、図３及び図４に示されるように、ハウジング６が取り付けられる基体９を有している。本実施形態では、ハウジング６は、基体９を介してドアパネル等の取付対象に取り付けられる。なお、ハウジング６は直接ドアパネル等の取付対象に取り付けられてもよく、この場合、ドアパネル等の取付対象自体が基体となる。
【００１８】
ハウジング６は、図２に示されるように、ドラム４が収容される収容部６１１を有する内側空間部６１（図５参照）と、ケーブル３が導入導出されるケーブル導出入部６２と、内側空間部６１と外部とを連通させる開口部６３とを有している。また、ハウジング６は、図２及び図３に示されるように、ドラム中心軸Ｘの位置に対して開口部６３の径方向外側に、ドラム中心軸Ｘ方向のドラム４と反対側に延びる突部６４を有している。ハウジング６は、ドラム４を内側空間部６１に挿入可能な挿入口部６ａ（図４及び図５参照）を有している。本実施形態では、図２に示されるように、ハウジング６はハウジング基部６５を有し、ハウジング基部６５に、収容部６１１やケーブル導出入部６２などが設けられている。ハウジング基部６５は、ハウジング６を基体９に取り付けるための接続部６５ａを有している。接続部６５ａは、基体９に設けられた被接続部９１にボルト・ナットやネジ等の公知の固定部材により固定される。
【００１９】
内側空間部６１は、図５に示されるように、ドラム４が収容される空間を形成する収容部６１１を含む、ハウジング６に設けられた内側空間を形成する部位である。内側空間部６１は、図５に示されるように、収容部６１１の収容空間Ｓ１以外に、後述する径方向空間Ｓ２１、Ｓ２２、軸方向空間Ｓ３１、Ｓ３２など、他の空間を含んでいてもよい。
【００２０】
収容部６１１はドラム４を回転可能に収容する。収容部６１１は、図５及び図６に示されるように、ドラム４の外周面４２（図６参照）に対向する周壁部６１１ａと、ドラム４の一方の端面４ａに対向する底部６１１ｂとを有している。周壁部６１１ａの内側面ＩＳと底部６１１ｂにより画定される凹所が収容部６１１内の収容空間Ｓ１となる。
【００２１】
本実施形態では、内側空間部６１は、収容部６１１の収容空間Ｓ１以外に、図６に示されるように、ドラム中心軸Ｘ方向で基体９側の端部において、収容部６１１の収容空間Ｓ１と連通するようにドラム４の径方向外側に向かって延びる径方向空間Ｓ２１、Ｓ２２を有している。また、内側空間部６１は、開口部６３及び突部６４が設けられた部位においては、図５及び図６に示されるように、突部６４の内側面６４ａと周壁部６１１ａの外側面ＯＳとの間にドラム中心軸Ｘ方向に延びる軸方向空間Ｓ３１、Ｓ３２を有している。径方向空間Ｓ２１、Ｓ２２及び軸方向空間Ｓ３１、Ｓ３２については、後述する。
【００２２】
内側空間部６１のドラム中心軸Ｘ方向で一方側（ドラム４の一方の端面４ａ側）は、図５及び図６に示されるように、開口部６３の領域を除いて底部６１１ｂによって覆われている。内側空間部６１のドラム中心軸Ｘ方向で他方側（ドラム４の他方の端面４ｂ側）は、基体９が取り付けられていない状態では、図５に示されるように、挿入口部６ａにおいて開口している。本実施形態では、基体９は、図３、図４及び図６に示されるように、ドラム４がハウジング６から離脱不能となるように挿入口部６ａを覆う被覆部９２を有している。基体９がハウジング６に取り付けられることにより、ドラム４を収容部６１１に収容した状態で、被覆部９２によって挿入口部６ａが覆われる。なお、本実施形態では、基体９は、窓ガラス昇降装置１をドアパネル等の取付対象に取り付ける取付部９３を有している。取付部９３は、板状の被覆部９２に対してハウジング６から離れる方向に延びるアーム状に形成されている。なお、基体９の形状はハウジング６を取り付け可能であれば、特に限定されない。
【００２３】
ケーブル導出入部６２は、ケーブル３をハウジング６の外部へ導出し、ケーブル３をハウジング６の内部へと導入する。ケーブル導出入部６２は、ドラム４が収容された収容部６１１とハウジング６の外部とを連通させる連通路を有し、連通路を通ってケーブル３がハウジング６から導出及びハウジング６に導入される。ケーブル導出入部６２は、図１及び図２に示されるように、第一ケーブル導出入部６２ａと、第二ケーブル導出入部６２ｂとを有している。本実施形態では、第一及び第二ケーブル導出入部６２ａ、６２ｂにはそれぞれアウターケーシング３３が接続され、ケーブル３は第一及び第二ケーブル導出入部６２ａ、６２ｂを通ってアウターケーシング３３内に挿通され、移動部材２に向かって延びている。
【００２４】
第一ケーブル導出入部６２ａと第二ケーブル導出入部６２ｂとは、ドラム中心軸Ｘを中心としてハウジング６を１８０°回転させた場合のそれぞれの位置（図２に二点鎖線で示す位置）が、当該１８０°回転させる前の状態においての、それぞれ他方のケーブル導出入部の位置に対して線対称（以下、単に線対称という）となるような配置としてハウジング６に設けられている。したがって、例えば、車両の左側のドアと右側のドアのように対称な位置に一対のハウジング６が設けられる取付対象において、左側に設けられるハウジング６と右側に設けられるハウジング６とで上下を逆にすることで、同じハウジング６を共用することができる。なお、ハウジング６は、対称な位置に配置される一対のハウジングを共用できるように第一ケーブル導出入部６２ａと第二ケーブル導出入部６２ｂとが線対称となるものであれば、ハウジング６全体が完全に線対称である必要はない。
【００２５】
開口部６３は、図２に示されるように、第一開口部６３ａ及び第二開口部６３ｂを有している。第一開口部６３ａ及び第二開口部６３ｂは、ドラム中心軸Ｘの位置に対して径方向外側に設けられている。第一開口部６３ａは、第一ケーブル導出入部６２ａが上側の時にドラム中心軸Ｘの位置に対して上側となり、第一ケーブル導出入部６２ａが下側の時にはドラム中心軸Ｘの位置に対して下側となるように設けられている。また、第二開口部６３ｂは、第二ケーブル導出入部６２ｂが上側の時にドラム中心軸Ｘの位置に対して上側となり、第二ケーブル導出入部６２ｂが下側の時にはドラム中心軸Ｘの位置に対して下側となるように設けられている。
【００２６】
これにより、第一開口部６３ａ及び第二開口部６３ｂのいずれか一方がドラム中心軸Ｘの位置に対して下側に位置する。したがって、内側空間部６１内に浸入した水が、ドラム中心軸Ｘよりも下方に流れた際に、開口部６３を介して内側空間部６１の外部に水を排出することができる。
【００２７】
第一開口部６３ａ及び第二開口部６３ｂの位置は、内側空間部６１内と内側空間部６１の外部とを連通し、ドラム中心軸Ｘの位置に対して下側に位置するときに、内側空間部６１内に浸入した水を内側空間部６１の外部に排出することができれば、特に限定されない。本実施形態では、図２に示されるように、第一開口部６３ａ及び第二開口部６３ｂは、ドラム中心軸Ｘの位置に対して下側に位置するときに、周壁部６１１ａの下端部の位置で開口するように設けられている。この場合、内側空間部６１内に浸入した水が周壁部６１１ａを伝って下方へ集められる場所で第一開口部６３ａ及び第二開口部６３ｂが開口する。したがって、内側空間部６１内に浸入した水を排出しやすくなる。
【００２８】
第一開口部６３ａ及び第二開口部６３ｂの形状や大きさは、内側空間部６１に浸入した水を円滑に排出することができる所定の形状、大きさを有していれば、特に限定されない。なお、本実施形態では、図２及び図５に示されるように、第一開口部６３ａ及び第二開口部６３ｂは、底部６１１ｂの上端部及び下端部がドラム中心軸Ｘ方向で貫通され、周壁部６１１ａの上端部及び下端部がドラム４の径方向に貫通されて設けられている。
【００２９】
突部６４は、図１及び図２に示されるように、第一突部６４１と第二突部６４２とを有している。第一突部６４１は、図６に示されるように、ドラム中心軸Ｘの位置に対して第一開口部６３ａの径方向外側に、中心軸Ｘ方向のドラム４と反対側（図６におけるドラム４の一方の端面４ａの左側）に延びている。すなわち、第一突部６４１は、第一開口部６３ａをドラム４の径方向外側から径方向内側に向かって覆うように設けられている。第一突部６４１は、第一突部６４１と第一開口部６３ａとの間に、ドラム４の径方向に所定の間隔が形成されるように設けられる。第一突部６４１は、ドラム中心軸Ｘ方向で、少なくとも第一開口部６３ａが設けられた位置を覆うように設けられていればよいが、ドラム中心軸Ｘ方向で第一開口部６３ａを越えてドラム４と反対側に延びていることが好ましい。
【００３０】
第一突部６４１は、第一開口部６３ａが上側のときに第一開口部６３ａの上側となり、第一開口部６３ａが下側のときに第一開口部６３ａの下側となるように設けられている。窓ガラス昇降装置１が取付対象に取り付けられたときに、第一開口部６３ａがドラム中心軸Ｘに対して上側に位置するときには、第一突部６４１は、第一開口部６３ａを第一開口部６３ａの上側から覆う。第一開口部６３ａがドラム中心軸Ｘに対して下側に位置するときには、第一突部６４１は、第一開口部６３ａの下方に配置される。
【００３１】
第二突部６４２は、図６に示されるように、ドラム中心軸Ｘの位置に対して第二開口部６３ｂの径方向外側に、ドラム中心軸Ｘ方向のドラム４と反対側に延びている。すなわち、第二突部６４２は、第二開口部６３ｂをドラム４の径方向外側から径方向内側に向かって覆うように設けられている。第二突部６４２は、第二突部６４２と第二開口部６３ｂとの間に、ドラム４の径方向に所定の間隔が形成されるように設けられる。第二突部６４２は、ドラム中心軸Ｘ方向で、少なくとも第二開口部６３ｂが設けられた位置を覆うように延びていればよいが、ドラム中心軸Ｘ方向で第二開口部６３ｂを越えてドラム４と反対側に延びていることが好ましい。
【００３２】
第二突部６４２は、第二開口部６３ｂが上側の時に第二開口部６３ｂの上側となり、第二開口部６３ｂが下側のときに第二開口部６３ｂの下側となるように設けられている。窓ガラス昇降装置１が取付対象に取り付けられたときに、第二開口部６３ｂがドラム中心軸Ｘに対して上側に位置するときには、第二突部６４２は、第二開口部６３ｂを第二開口部６３ｂの上側から覆う。第二開口部６３ｂがドラム中心軸Ｘに対して下側に位置するときには、第二突部６４２は、第二開口部６３ｂの下方に配置される。
【００３３】
第一突部６４１及び第二突部６４２のそれぞれは、図２に示されるように、内側面６４ａと外側面６４ｂとを有している。内側面６４ａは、突部６４のうち、開口部６３側の面、すなわち、ドラム４の外周面４２を向く面である。また、外側面６４ｂは、突部６４のうち、内側面６４ａとは反対側の面、すなわち、突部６４のうち、ドラム中心軸Ｘから遠い方の面である。
【００３４】
内側面６４ａは、図２に示されるように、突部６４が下側の場合にハウジング６の内側空間部６１から開口部６３へと移動した水をハウジング６外へと案内する排水案内部Ｇを有している。また、外側面６４ｂは、図２に示されるように、突部６４が上側の場合に突部６４外側に付着した水分を下方へと移動させる水捌部Ｄを有している。排水案内部Ｇは、内側空間部６１から開口部６３へと移動した水が開口部６３からさらに下方の突部６４へと流れた際に、その水をハウジング６外へと案内する。排水案内部Ｇは、内側空間部６１やハウジング６に水が蓄積されることを抑制する。排水案内部Ｇは、開口部６３からの水分を開口部６３から遠ざかる方へと案内する案内部が設けられており、近接する開口部６３から水分を遠ざけている。この案内部は、例えば凹形状を有し、水分が下側へ移動するように設けられている。また、水捌部Ｄは、突部６４の上方から流れる水を、水捌部Ｄを伝って開口部６３からそれるように下方に流し、突部６４の下方に位置する開口部６３への水の浸入を抑制する。
【００３５】
上述したように、本実施形態の窓ガラス昇降装置１は、第一ケーブル導出入部６２ａと第二ケーブル導出入部６２ｂとが線対称となるような配置でハウジング６に設けられている。これにより、対称な位置に一対のハウジング６が設けられる取付対象において、左側に設けられるハウジング６と右側に設けられるハウジング６とで上下を逆にすることで、同じハウジング６を共用することができる。また、ハウジング６は、内側空間部６１内と内側空間部６１の外部とを連通させる第一開口部６３ａと第二開口部６３ｂとを有し、第一開口部６３ａ及び第二開口部６３ｂのうち下側に位置する開口部６３は、内側空間部６１に浸入した水を排出する。下側の開口部６３から排出された水は、第一突部６４１及び第二突部６４２のうち下側に位置する突部６４の排水案内部Ｇによって、ハウジング６外へ案内される。一方、ハウジング６を取付対象の左右で共用するようにした場合、内側空間部６１の上側に開口部６３が設けられることになるが、上側に位置する開口部６３の上側には上側の突部６４の水捌部Ｄによって、上側の開口部６３から水が浸入することを抑制している。このように、本実施形態の窓ガラス昇降装置１は、ハウジング６の上下を逆にすることにより、ハウジング６を左右で共用できるようにしつつ、ハウジング６の内側空間部６１内への水分の浸入及び蓄積を抑制することができる。
【００３６】
具体的には、車両の左右に一対の窓ガラス昇降装置１を配置する場合に、例えば、車両の左側に第一ケーブル導出入部６２ａ、第一開口部６３ａ及び第一突部６４１が上側となるようにハウジング６を設ける。一方、車両の右側においては、同じハウジング６が、第二ケーブル導出部６２ｂ、第二開口部６３ｂ及び第二突部６４２が上側となるように、左側のハウジング６とは上下を逆にして設けられる。これにより、車両の左右でハウジング６を車両の移動方向に対して左右対称に配置することができる。
【００３７】
また、例えば、車両の左側のハウジング６においては、第一突部６４１の外側面６４ｂの水捌部Ｄによって、ケーブル３を伝わった水やハウジング６の上方から浸入した水が第一開口部６３ａから内側空間部６１内に浸入することを抑制する。一方、車両の右側においては、左側では水捌部Ｄとして機能した第一突部６４１は、その内側面６４ａの排水案内部Ｇによって第一開口部６３ａから出た水の排出を促進する。同様に、車両の左側のハウジング６において、第二突部６４２の内側面６４ａの排水案内部Ｇによって、第二開口部６３ｂから出た水の排出を促進する。一方、車両の右側においては、左側で排水案内部Ｇとして機能した第二突部６４２は、その外側面６４ｂの水捌部Ｄによって第二開口部６３ｂから内側空間部６１内に水が浸入することを抑制する。
【００３８】
また、本実施形態では、第一開口部６３ａ及び第二開口部６３ｂが形成されており、内側空間部６１内で上側の開口部６３から下側の開口部６３へ向かう空気流が生じやすい。したがって、開口部が１つしかない場合と比較して内側空間部６１内での水の流れが円滑となり、内側空間部６１からの排水がさらに促される。
【００３９】
本実施形態では、突部６４は、図２に示されるように、ドラム中心軸Ｘに対して外側に凸となるように設けられている。突部６４が外側に凸となっていることにより、図２に示されるように、突部６４が上側に配置される場合には、突部６４の外側面６４ｂにおいて、突部６４の頂部６４ｃの、ドラム４の周方向で両側に、頂部６４ｃに対して下り勾配となる傾斜面を有する水捌部Ｄが形成される。図２において上から流れてきた水は、突部６４の頂部６４ｃから両側の水捌部Ｄに沿って流れやすく、上側の開口部６３に向かう水の流れが生じにくい。したがって、上側の開口部６３から内側空間部６１への水の浸入がさらに抑制される。また、突部６４が下側に配置される場合には、突部６４の内側面６４ａにおいて、突部６４の頂部６４ｃの、ドラム４の周方向で両側は、頂部６４ｃに向かって下り勾配となる傾斜面を有する。したがって、突部６４の内側面６４ａの排水案内部Ｇに向かって水が集まり、排水がさらに促される。水捌部Ｄは、上方からの水を開口部６３から遠ざかる方へと案内する案内部が設けられており、近接する開口部６３から水分を遠ざけている。この案内部は、例えば、上側に凸となる形状を有している。
【００４０】
本実施形態では、突部６４は、図２に示されるように、ドラム４の周方向で開口部６３を挟むように、周壁部６１１ａからドラム４の径方向外側に延び、開口部６３をアーチ状に覆っている。これにより、上側の開口部６３の径方向外側だけでなく、ドラム４の周方向での開口部６３への水の浸入も抑制している。なお、突部６４は周壁部６１１ａから延びている必要はなく、周壁部６１１ａとは独立して、ハウジング基部６５からドラム中心軸Ｘ方向に延びていてもよい。
【００４１】
また、本実施形態では、図６に示されるように、基体９は、ハウジング６の内側空間部６１から水を排出可能な孔をハウジング６と形成する排出部９４を有している。排出部９４は、内側空間部６１に浸入した水を基体９側から排出する孔である。排出部９４は、内側空間部６１の下部において、基部９（被覆部９２）を貫通して内側空間部６１の内部と外部とを連通している。排出部９４が設けられることにより、内側空間部６１内において、開口部６３に向かわずに基体９側に向かって移動した水を排出部９４から排出することができる。したがって、より内側空間部６１内に水が貯留されることを抑制することができる。
【００４２】
本実施形態では、図５及び図６に示されるように、内側空間部６１は、ドラム中心軸Ｘ方向で基体９側の端部において、収容部６１１の収容空間Ｓ１と連通するようにドラム４の径方向外側に向かって延びる径方向空間（第一径方向空間）Ｓ２１を有している。この径方向空間Ｓ２１は、内側空間部６１の下側において、下方に向かって凹部を形成し、ドラム中心軸Ｘ方向で内側空間部６１の基体９側に向かった水を集める集水部として機能する。本実施形態では、排出部９４は、径方向空間Ｓ２１に対応する位置に設けられ、径方向空間Ｓ２１が排出部９４に連通することにより、径方向空間Ｓ２１に流れた水は排出部９４を介して内側空間部６１から排出される。なお、本実施形態では、内側空間部６１の上側にも上方に向かってドラム４の径方向外側に向かって延びる径方向空間（第二径方向空間）Ｓ２２を有している。上側の径方向空間Ｓ２２は基体９の被覆部９２により覆われており、内側空間部６１の上側から基体９を通過して水が浸入することはない。なお、径方向空間Ｓ２２が下側に配置される場合には、径方向空間Ｓ２２が基体９の排出部９４と連通し、径方向空間Ｓ２２に流れた水は、排出部９４を介して内側空間部６１から排出される。
【００４３】
また、本実施形態では、図５及び図６に示されるように、内側空間部６１は、下側の開口部６３及び突部６４が設けられた部位において、突部６４の内側面６４ａと周壁部６１１ａの外側面ＯＳとの間にドラム中心軸Ｘ方向に延びる軸方向空間（第一軸方向空間）Ｓ３１を有している。軸方向空間Ｓ３１は、径方向空間Ｓ２１に連通している。内側空間部６１から下側の開口部６３を介して排出された水は、下側の突部６４の水捌部Ｄに移動する。この軸方向空間Ｓ３１を有する場合、水捌部Ｄに移動した水は、ドラム中心軸Ｘ方向で基体９から遠ざかる方向だけでなく、径方向空間Ｓ２１にも移動する。したがって、水捌部Ｄに移動した水は、ドラム中心軸Ｘ方向で両側に移動することができ、水捌部Ｄから直接水を排出することもできるし、軸方向空間Ｓ３１、径方向空間Ｓ２１及び排出部９４を介して水を排出することもできる。そのため、浸入した水が多い場合などであっても、水の排出が確実となる。なお、本実施形態では、内側空間部６１の上側にも、突部６４の内側面６４ａと周壁部６１１ａの外側面ＯＳとの間にドラム中心軸Ｘ方向に延びる軸方向空間（第二軸方向空間）Ｓ３２が設けられている。軸方向空間Ｓ３２は、径方向空間Ｓ２２に連通している。軸方向空間Ｓ３２が下側に配置される場合には、軸方向空間Ｓ３１と同様に、水捌部Ｄから直接水を排出することもできるし、軸方向空間Ｓ３２、径方向空間Ｓ２２及び排出部９４を介して水を排出することができる。
【符号の説明】
【００４４】
１  窓ガラス昇降装置
２  移動部材
２１ａ  第１接続部
２１ｂ  第２接続部
２２  窓ガラス取付部
３  ケーブル
３１  第一ケーブル
３１Ｅ  ケーブルの端部
３２  第二ケーブル
３２Ｅ  ケーブルの端部
３３  アウターケーシング
４  ドラム
４ａ  ドラムの一方の端面
４ｂ  ドラムの他方の端面
４１  軸孔
４２  ドラムの外周面
５  駆動部
５１  電動モータ
５２  軸部
６  ハウジング
６ａ  挿入口部
６１  内側空間部
６１１  収容部
６１１ａ  周壁部
６１１ｂ  底部
６２  ケーブル導出入部
６２ａ  第一ケーブル導出入部
６２ｂ  第二ケーブル導出入部
６３  開口部
６３ａ  第一開口部
６３ｂ  第二開口部
６４  突部
６４ａ  突部の内側面
６４ｂ  突部の外側面
６４ｃ  突部の頂部
６４１  第一突部
６４２  第二突部
６５  ハウジング基部
６５ａ  接続部
７  ガイド部
８  方向転換部材
９  基体
９１  被接続部
９２  被覆部
９３  取付部
９４  排出部
Ｄ  水捌部
Ｇ  排水案内部
ＩＳ  周壁部の内側面
ＯＳ  周壁部の外側面
Ｓ１  収容空間
Ｓ２１、Ｓ２２  径方向空間
Ｓ３１、Ｓ３２  軸方向空間
Ｗ  窓ガラス
Ｘ  ドラム中心軸
【図１】
2020023783.tif 000003
【図２】
2020023783.tif 000004
【図３】
2020023783.tif 000005
【図４】
2020023783.tif 000006
【図５】
2020023783.tif 000007
【図６】
2020023783.tif 000008